(57)【要約】【課題】帽部の内方下端周縁部に固定され、帽部が頭部に装着された場合には頭部に密接する頭部当接帯と、上記頭部当接帯の幅方向外方に延設された通気部とを有することにより、帽子を着用した場合に、頭部と帽子との間に空気を導入して、帽子を着用した場合に頭部の蒸れを防止しうる通気性が良好で快適に着用できる帽子構成部材を提供すること。【解決手段】帽部の内方下端周縁部に固定され、帽部が頭部に装着された場合には頭部に密接する頭部当接帯と、上記頭部当接帯の幅方向外方に延設された通気部とを有する。【選択図】図１
0003145799.tif 000002
【実用新案登録請求の範囲】
【請求項１】
帽部の内方下端周縁部に固定され、帽部が頭部に装着された場合には頭部に密接する頭部当接帯と、上記頭部当接帯の幅方向外方に延設された通気部とを有することを特徴とする帽子構成部材。
【請求項２】
上記通気部は上記帽部の前部に配設された場合には額の略全域に亘って配置されることを特徴とする請求項１記載の帽子構成部材。
【請求項３】
上記通気部は、平面三日月状に形成されていることを特徴とする請求項１又は２記載の帽子構成部材。
【請求項４】
記通気部はメッシュ状に形成されていることを特徴とする請求項１〜３のいずれか１項に記載の帽子構成部材。
【請求項５】
上記帽部にはひさし部が固定され、上記通気部は上記ひさし部の基端部に縫着され、上記頭部当接帯は帽部の上記ひさし部以外の部分に固定されていることを特徴とする請求項１〜４のいずれか１項に記載の帽子構成部材。
【考案の詳細な説明】
【技術分野】
【０００１】
本考案は、帽子構成部材に係り、特に、帽部の内方下端周縁部に固定することにより通気性を有する帽子構成部材に関する。
【背景技術】
【０００２】
従来から、帽子を着用した場合、内周面部に形成された帯状の頭部当接帯が頭部の周面部に密着することから、頭部と帽子との間に外部から空気を導入できず、頭部と帽子との間は通気性が悪く、頭が蒸れやすかった。
そこで、頭部と帽子との間に空気を導入して頭部の蒸れを防止できる帽子構成部材を備えた帽子があれば快適に帽子を着用することができる。
【考案の開示】
【考案が解決しようとする課題】
【０００３】
本考案は、帽部の内方下端周縁部に固定され、帽部が頭部に装着された場合には頭部に密接する頭部当接帯と、上記頭部当接帯の幅方向外方に延設された通気部とを有することにより、帽子を着用した場合に、頭部と帽子との間に空気を導入して、帽子を着用した場合に頭部の蒸れを防止しうる通気性が良好で快適に着用できる帽子構成部材を提供することにある。
【課題を解決するための手段】
【０００４】
上記課題を解決するために、請求項１記載の考案にあっては、帽部の内方下端周縁部に固定され、帽部が頭部に装着された場合には頭部に密接する頭部当接帯と、上記頭部当接帯の幅方向外方に延設された通気部とを有することを特徴とする。
従って、通気部を有する帽子構成部材を備えた帽子を着用した場合に、頭部に密接する頭部当接帯の幅方向外方に延設された通気部により、頭部と帽子との間に空気を導入することができる。
【０００５】
請求項２記載の考案にあっては、上記通気部は上記帽部の前部に配設された場合には額の略全域に亘って配置されることを特徴とする。
従って、上記帽部の前部に配設された場合にはに額の略全域に亘って配置された上記通気部により、頭部と帽子との間に空気を導入することができる。
【０００６】
請求項３記載の考案にあっては、上記通気部は、平面三日月状に形成されていることを特徴とする。
従って、通気部は平面三日月状に形成されているので、帽部に配設する場合に接合しやすく、かつ、通気性を良好に確保することができる。
【０００７】
請求項４記載の考案にあっては、上記通気部はメッシュ状に形成されていることを特徴とする。
従って、通気部はメッシュ状に形成されているので、外観品質を向上させつつ、通気性を良好に確保することができる。
【０００８】
請求項５記載の考案にあっては、上記帽部にはひさし部が固定され、上記通気部は上記ひさし部の基端部に縫着され、上記頭部当接帯は帽部の上記ひさし部以外の部分に固定されていることを特徴とする。
【考案の効果】
【０００９】
請求項１記載の考案にあっては、通気部を有する帽子構成部材を備えた帽子を着用した場合に、頭部に密接する頭部当接帯の幅方向外方に延設された通気部により、頭部と帽子との間に空気を導入することができることから、帽子を着用した場合に頭部の蒸れを防止しうる通気性が良好で快適に着用できる帽子構成部材を提供することができる。
また、帽部が頭部に装着された場合には頭部に帯状の頭部当接帯を密接できることから、帽子を容易に着用することができると共に着用した後において脱げ難い頭部の蒸れを防止しうる通気性が良好で快適な帽子構成部材を提供することができる。
【００１０】
請求項２〜４記載の考案にあっては、通気部を有する帽子構成部材を備えた帽子を着用した場合に、上記帽部の前部に配設されると共に額の略全域に亘って配置された上記通気部により、頭部と帽子との間に空気を導入することができることから、特に、前頭部の蒸れを防止しうる通気性が良好で快適に着用できる帽子構成部材を提供することができる。
【００１１】
請求項５記載の考案にあっては、いわゆるキャップにおいて、ひさし部により太陽光を遮ると共に通気部により通気を確保できることから、快適な装着感を持つキャップに備えることができる帽子構成部材を提供することができる。
【考案を実施するための最良の形態】
【００１２】
以下、図面を用いて本考案の実施の形態について説明する。
図１〜３に示すように、本実施の形態に係る帽子構成部材１０は、帽部１１の内方下端周縁部１２に固定され、帽部１１が頭部Ａに装着された場合には頭部Ａに密接する頭部当接帯１８と、上記頭部当接帯１８の幅方向外方に延設された通気部１３とを有している。
また、上記通気部１３は上記帽部１１の前部１４に配設された場合には額Ｂの略全域に亘って配置されている。
また、上記通気部１３は、平面三日月状に形成されている。
また、上記通気部１３はメッシュ状に形成されている。
また、上記帽部１１にはひさし部１５が固定され、上記通気部１３は上記ひさし部１５の基端部１６に縫着され、上記頭部当接帯１８は帽部１１の上記ひさし部１５以外の部分に固定されている。
【実施例】
【００１３】
以下に、図面を用いて本実施例について詳細を説明する。
図１に示すように、本実施例に係る帽子構成部材１０は、所定の幅寸法及び所定の長さ寸法からなる帯状の布材により形成された頭部当接帯１８と、上記頭部当接帯１８の幅方向外方に縫着されることにより延設されたメッシュ状に形成された平面三日月状の通気部１３とにより構成されている。
また、上記通気部１３は上記頭部当接帯１８の幅方向一端部の長さ方向に沿って縫着され、上記頭部当接帯１８の長さ方向中央部から略４分の１の長さ寸法の夫々の位置に至るに従って夫々幅寸法が小さくなる平面三日月状に形成されている。
ここで、本実施例においては、本実施例に係る帽子構成部材１０をキャップ形状に形成された帽子１７に適用した場合を例に説明する。
図２及び図３に示すように、本実施例に係る帽子構成部材１０を縫着した帽子１７は布材により形成され、ドーム形状の帽部１１と略半円形状からなる厚紙を布材で被覆することにより形成されたひさし部１５とを有し、上記ひさし部１５が上記帽部１１の前部１４に縫合されることにより接合されてキャップ形状に形成されている。
また、図２に示すように、上記帽部１１は、６枚の略三角形状の布材からなる帽部形成片１９が縫合されることにより図３に示すようなドーム形状に形成されている。
また、図２に示すように、上記帽部形成片１９の夫々の縫合箇所は、３本の被覆帯２０により帽部１１の裏面側において夫々縫合されており、上記３本の被覆帯２０は、帽部１１の中央部で交差して、上記３本の被覆帯２０の交差位置において、固定部２１により固定されている。
また、上記固定部２１は、帽部１１の裏面側に配置される円板部材２２と表面側に配置される半円球状の固定部２３により構成され、上記円板部材２２と上記固定部２３とにより上記３本の被覆帯２０と帽部形成片１９とが挟み込まれて固定されている。
また、上記帽部１１の後部には半円形状に切り欠かれた切り欠き部２４が形成され、上記帽部１１の周端部に沿うと共に上記切り欠き部２４を横断する調整ベルト２５が設けられている。
【００１４】
そして、図２及び図３に示すように、頭部当接帯１８と通気部１３から構成される上記帽子構成部材１０は帽部１１の内方下端周縁部１２に固定されている。
図２及び図３に示すように、帽子１７には、上記帽部１１の内方下端周端部１２に沿って、上記帽部１１の上記切り欠き部２４を除く全周域に亘って所定の幅寸法からなる帯状の頭部当接帯１８が配置されている。
また、上記頭部当接帯１８は、上記切り欠き部２４に隣接する上記帽部１１の切り欠き端部２６において幅方向に沿って縫着され、上記切り欠き端部２６から上記ひさし部１５の幅方向端部２７に亘って上記帽部１１の内方下端周縁部１２に沿って縫着されている。
また、上記頭部当接帯１８は、上記ひさし部１５の接合されている位置においては、上記ひさし部１５との間に上記通気部１３が配置されるように上記ひさし部１５の基端部１６から所定間隔寸法をおいて上記帽部１１の内方下端周縁部１２に沿って配置されている。
また、上記通気部１３は、上記頭部当接帯１８の幅方向一端部において長さ方向に沿って縫着され、上記ひさし部１５の基端部１６から上記ひさし部１５と同一平面上に配置されるように帽部１１の内方周縁部１２から内方側へ延設され、通気部１３が帽部１１の前部１４に配設されるように帽部１１が頭部Ａに装着された場合には、通気部１３は額Ｂの略全域に亘って配置されると共に上記ひさし部１５の幅方向中央からひさし部１５の幅方向両端部２７，２７に至るに従って夫々幅寸法が小さくなる平面三日月状に形成されて頭部Ａの前部に配置される。
また、上記通気部１３の平面三日月状の外周縁は上記ひさし部１５の基端部１６に縫着されている。    
そして、上記頭部当接帯１８を頭部Ａに密接させることにより通気部１３を頭部Ａの前部に配置して通気部１３から空気を導入することができる。
【００１５】
以下、本実施例の作用について説明する。
本実施例に係る帽子構成部材１０が縫着された帽子１７を使用するには、図３に示すように、ひさし部１５を頭部Ａの前部に配置するように把持して、図２に示すような帽子構成部材１０の帯状の頭部当接帯１８を頭部Ａの周面上に配置するように着用する。
そして、適宜、頭部Ａの周方向の長さ寸法に応じて、切り欠き部２４の幅寸法を調整ベルト２５によって調整することにより、上記帽子１７の周長さ寸法を調整する。
この場合、メッシュ状に形成された通気部１５は、ひさし部１５と同一平面上に形成されているので額Ｂに対して直角に配置され、上記帽部１１の前部１４において着用した場合に額Ｂの略全域に亘って配置されていることから額Ｂの幅方向略全域に亘って額Ｂに当接している。
従って、額Ｂの幅方向略全域に亘って配置されると共に頭部Ａの前部に配設された通気部１３により、頭部Ａと帽子１７との間に頭部Ａの前部から空気を導入することができることから、頭部Ａの蒸れを防止し、通気性が良好で快適に着用できる帽子構成部材１０を有する帽子１７を提供することができる。
また、通気部１３は平面三日月状に形成されると共にメッシュ状に形成されているので、通気性を良好に確保できる。
また、いわゆるキャップ１７において、ひさし部１５により太陽光を遮ると共に通気部１３により通気を確保できることから、快適な装着感を持つ帽子構成部材１０を有するキャップ１７を提供することができる。
また、帯状の頭部当接帯１８を頭部Ａの周面部に配置することにより、帽子１０を容易に着用することができると共に着用した後においても脱げ難い帽子構成部材１０を有する帽子１７とすることができる。
また、本実施例においては、帽子構成部材１０を有する帽子の例としてキャップについて記載したが、キャップに限定されるものではなく、例えば、ハット等の他の帽子についても適用することができる。
【産業上の利用可能性】
【００１６】
本考案は、帽子構成部材に係り、特に、帽部の内方下端周縁部に固定することにより通気性を有する帽子構成部材に適用することができる。
【図面の簡単な説明】
【００１７】
【図１】本考案に係る帽子構成部材の一実施の形態を示す図である。
【図２】本考案に係る帽子構成部材の一実施の形態を示す図であって、帽子に適用した場合の底面側から見た図である。
【図３】本考案に係る帽子構成部材の一実施の形態を示す断面図であって、帽子に適用した場合の図である。
【符号の説明】
【００１８】
１０  帽子構成部材
１１  帽部
１２  内方周縁部
１３  通気部
１４  前部
１５  ひさし部
１６  基端部
１７  帽子
１８  頭部当接帯
１９  帽部形成片
２０  被覆帯
２１  固定部
２２  円板部材
２３  固定部
２４  切り欠き部
２５  調整ベルト
２６  切り欠き端部
２７  ひさし部の幅方向端部
Ａ    頭部
Ｂ    額
【図１】
0003145799.tif 000003
【図２】
0003145799.tif 000004
【図３】
0003145799.tif 000005